(57)【要約】【課題】交流電力を直流電力に変換する交流直流変換器において、電力をスイッチングするスイッチ素子のスイッチングディユーティを可変することでスイッチ素子の発熱を低減することができる電源装置を提供することを目的としている。【解決手段】交流直流変換器１に電力をスイッチングするスイッチ素子２とこのスイッチ素子２に接し、このスイッチ素子の発生する熱を放熱させるために冷却手段としてのヒートシンク３を備え、スイッチ素子２の温度を検出する温度検出手段であるサーミスタ４がスイッチ素子２と冷却手段３の間に設けられ、この温度検出手段４の温度情報により、スイッチ素子２のスイッチングのディユーティを可変する熱ロス低減手段５Ａを設けることでスイッチ素子の発熱を低減できる電源装置が得られる。【選択図】図１
2007074872.tif 000002
【特許請求の範囲】
【請求項１】
交流電力を直流電力に変換する交流直流変換器と、前記交流直流変換器に備えた電力をスイッチングするスイッチ素子と、前記スイッチ素子を放熱させる冷却手段を備えた交流直流電源において、前記冷却手段の温度を検出する温度検出手段と、前記温度検出手段の検出温度からスイッチ素子の発熱を低減するようにスイッチングを変更する熱ロス低減手段を備えたことを特徴とする電源装置。
【請求項２】
冷却手段は、ヒートシンクであることを特徴とする請求項１記載の電源装置。
【請求項３】
冷却手段の温度検出は、サーミスタであることを特徴とする請求項１記載の電源装置。
【請求項４】
温度検出手段は、スイッチ素子と冷却手段の間に設置したことを特徴とする請求項１記載の電源装置。
【請求項５】
熱ロス低減手段は、スイッチングのデューティを変更することを特徴とする請求項１記載の電源装置。
【請求項６】
熱ロス低減手段は、冷却手段の温度が所定値を超えた時にスイッチ素子を間欠駆動することを特徴とする請求項１記載の電源装置。
【請求項７】
熱ロス低減手段は、スイッチ素子の入力電流に応じて、デューティの増加あるいは減少させるフィードフォワード制御手段と、温度検出値が低下するように制御するフィードバック制御手段を備えたことを特徴とする請求項１記載の電源装置。
【請求項８】
熱ロス低減手段は、スイッチ素子の出力電流に応じて、前記デューティの増加あるいは減少させる第２フィードフォワード制御手段と、温度検出値が低下するように制御するフィードバック制御手段を備えたことを特徴とする請求項１記載の電源装置。
【請求項９】
熱ロス低減手段は、スイッチ素子の通流電流とデューティ、及び前記スイッチ素子の両端電圧に応じて、前記デューティの増加あるいは減少させる第３フィードフォワード制御手段と、温度検出値が低下するように制御するフィードバック制御手段を備えたことを特徴とする請求項１記載の電源装置。
【請求項１０】
熱ロス低減手段は、冷却手段の温度が所定の異常閾値を超えた時にスイッチ素子を停止することを特徴とする請求項１記載の電源装置。
【請求項１１】
冷却手段の温度が所定の異常閾値を超えた時に異常を報知する報知手段を備えたことを特徴とする請求項１０記載の電源装置。
【請求項１２】
報知手段は、光あるいは音声であることを特徴とする請求項１１記載の電源装置。
【請求項１３】
直流駆動モーターを用い，請求項１〜１２のいずれかに記載の電源装置を備え、２４時間常時換気、浴室内の循環暖房、サウナ運転の少なくとも１つ以上を行うことを特徴とする浴室換気乾燥機。
【発明の詳細な説明】
【技術分野】
【０００１】
本発明は、半導体を用い、交流電力を直流電力に変換する電源装置に関する。
【背景技術】
【０００２】
従来、この種の電源装置は、冷却ファンを用いた冷却装置を使用するものが知られている（例えば特許文献１参照）。
【０００３】
以下、電源装置について図１４を参照しながら説明する。
【０００４】
図に示すように、冷却板１０１に配置されたスイッチ素子１０２と、このスイッチ素子１０２を制御するスイッチ素子制御回路１０３と、スイッチ素子１０２の近傍に配置された温度検出手段１０４と、冷却板１０１を冷却するための循環ポンプ１０５と、冷却ファン１０６と冷却能力を制御する冷却制御回路１０７から構成されていた。
【特許文献１】特開平７−２４５３６３号公報
【発明の開示】
【発明が解決しようとする課題】
【０００５】
このような電源装置では、半導体素子の発熱を低減するのではなく、冷却装置にて冷却しているため、電源装置の小型化、コストに課題があった。
【０００６】
本発明は、上記課題を解決するもので、電力変換効率を最適な状態に制御することで、半導体素子の発熱を低減する電源装置を提供することを目的としている。
【課題を解決するための手段】
【０００７】
発明の電源装置は、上記目的を達成するために、交流電力を直流電力に変換する交流直流変換器と、前記交流直流変換器に備えた電力をスイッチングするスイッチ素子と、前記スイッチ素子を放熱させる冷却手段を備えた交流直流電源において、前記冷却手段の温度を検出する温度検出手段と、前記温度検出手段の検出温度からスイッチ素子の発熱を低減するようにスイッチングを変更する熱ロス低減手段を備えたものである。
【０００８】
この手段によりスイッチ素子を効率的にスイッチングさせ、発熱を低減できる電源装置が得られる。
【０００９】
また、他の手段は、冷却手段は、ヒートシンクであることを特徴としたものである。
【００１０】
この手段により、スイッチ素子から発生する熱を比較的安価に放熱できる電源装置が得られる。
【００１１】
また、他の手段は、冷却手段の温度検出は、サーミスタであることを特徴としたものである。
【００１２】
この手段により、冷却手段の温度検出を比較的安価に検出できる電源装置が得られる。
【００１３】
また、他の手段は、温度検出手段は、スイッチ素子と冷却手段の間に設置したことを特徴としたものである。
【００１４】
この手段により、スイッチ素子の発熱温度をより正確に検出できる電源装置が得られる。
【００１５】
また、他の手段は、熱ロス低減手段は、スイッチングのデューティを変更することを特徴としたものである。
【００１６】
この手段により、スイッチ素子の特性ばらつき等による発熱を低減できる電源装置が得られる。
【００１７】
また、他の手段は、熱ロス低減手段は、冷却手段の温度が所定値を超えた時にスイッチ素子を間欠駆動することを特徴としたものである。
【００１８】
この手段により、発熱によるスイッチ素子の破壊を防止し、スイッチングが行える電源装置が得られる。
【００１９】
また、他の手段は、熱ロス低減手段は、スイッチ素子の入力電流に応じて、デューティの増加あるいは減少させるフィードフォワード制御手段と、温度検出値が低下するように制御するフィードバック制御手段を備えたことを特徴としたものである。
【００２０】
この手段により、入力電流に応じて効率的にスイッチングが行える電源装置が得られる。
【００２１】
また、他の手段は、熱ロス低減手段は、スイッチ素子の出力電流に応じて、前記デューティの増加あるいは減少させる第２フィードフォワード制御手段と、温度検出値が低下するように制御するフィードバック制御手段を備えたことを特徴としたものである。
【００２２】
この手段により、出力電流に応じて効率的にスイッチングが行える電源装置が得られる。
【００２３】
また、他の手段は、熱ロス低減手段は、スイッチ素子の通流電流とデューティ、及び前記スイッチ素子の両端電圧に応じて、前記デューティの増加あるいは減少させる第３フィードフォワード制御手段と、温度検出値が低下するように制御するフィードバック制御手段を備えたことを特徴としたものである。
【００２４】
この手段により、スイッチ素子の通流電流と端子電圧に応じて効率的にスイッチングが行える電源装置が得られる。
【００２５】
また、他の手段は、熱ロス低減手段は、冷却手段の温度が所定の異常閾値を超えた時にスイッチ素子を停止することを特徴としたものである。
【００２６】
この手段により、スイッチ素子の発熱による破壊を未然に防止できる電源装置が得られる。
【００２７】
また、他の手段は、冷却手段の温度が所定の異常閾値を超えた時に異常を報知する報知手段を備えたことを特徴としたものである。
【００２８】
この手段により、スイッチ素子が発熱により停止したことが確認できる電源装置が得られる。
【００２９】
また、他の手段は、報知手段は、光あるいは音声であることを特徴としたものである。
【００３０】
この手段により、スイッチ素子が発熱により停止したことが容易に確認できる電源装置が得られる。
【００３１】
また、他の手段は、直流駆動モーターを用い、請求項１〜１２のいずれかに記載の電源装置を備え、２４時間常時換気、浴室内の循環暖房、サウナ運転を行うことを特徴としたものである。
【００３２】
この手段により、浴室換気乾燥機制御手段からの発熱を低減し、発熱による制御手段保護運転を行うことなく運転する浴室換気乾燥機が得られる。
【発明の効果】
【００３３】
本発明によれば、スイッチ素子を効率的にスイッチングさせ、半導体素子であるスイッチ素子の発熱を低減できる電源装置を提供できる。
【００３４】
また、スイッチ素子から発生する熱を比較的安価に放熱できる電源装置を提供できる。
【００３５】
また、冷却手段の温度検出を比較的安価に構成できる電源装置を提供できる。
【００３６】
また、スイッチ素子の発熱温度をより正確に検出できる電源装置を提供できる。
【００３７】
また、スイッチ素子の特性ばらつき等による発熱を低減できる電源装置を提供できる。
【００３８】
また、発熱によるスイッチ素子の破壊を防止し、スイッチングが行える電源装置を提供できる。
【００３９】
また、入力電流に応じて効率的にスイッチングが行える電源装置を提供できる。
【００４０】
また、出力電流に応じて効率的にスイッチングが行える電源装置を提供できる。
【００４１】
また、スイッチ素子の通流電流と端子電圧に応じて効率的にスイッチングが行える電源装置を提供できる。
【００４２】
また、スイッチ素子の発熱による破壊を未然に防止できる電源装置を提供できる。
【００４３】
また、スイッチ素子が発熱により停止したことが確認できる電源装置を提供できる。
【００４４】
また、スイッチ素子が発熱により停止したことが容易に確認できる電源装置が得られる。
【００４５】
また、浴室換気乾燥機制御手段からの発熱を低減し、発熱による制御手段保護運転を行うことなく運転する浴室換気乾燥機を提供できる。
【発明を実施するための最良の形態】
【００４６】
本発明の請求項１記載の発明は、交流電力を直流電力に変換する交流直流変換器と、前記交流直流変換器に備えた電力をスイッチングするスイッチ素子と、前記スイッチ素子を放熱させる冷却手段を備えた交流直流電源において、前記冷却手段の温度を検出する温度検出手段と、前記温度検出手段の検出温度からスイッチ素子の発熱を低減するようにスイッチングを変更する熱ロス低減手段を備えたものであり、スイッチ素子を効率的にスイッチングさせ、スイッチ素子の発熱を低減できるという作用を有する。
【００４７】
また、請求項２記載の発明は、冷却手段は、ヒートシンクとしたものであり、スイッチ素子から発生する熱を比較的安価に放熱できるという作用を有する。
【００４８】
また、請求項３記載の発明は、冷却手段の温度検出は、サーミスタとしたものであり、冷却手段の温度検出を比較的安価に検出できるという作用を有する。
【００４９】
また、請求項４記載の発明は、温度検出手段は、スイッチ素子と冷却手段の間に設置したものであり、スイッチ素子の発熱温度をより正確に検出できるという作用を有する。
【００５０】
また、請求項５記載の発明は、熱ロス低減手段は、スイッチングのデューティを変更するものであり、スイッチ素子の特性ばらつき等による発熱を低減できるという作用を有する。
【００５１】
また、請求項６記載の発明は、熱ロス低減手段は、冷却手段の温度が所定値を超えた時にスイッチ素子を間欠駆動するものであり、発熱によるスイッチ素子の破壊を防止し、スイッチングが行えるという作用を有する。
【００５２】
また、請求項７記載の発明は、熱ロス低減手段は、スイッチ素子の入力電流に応じて、デューティの増加あるいは減少させるフィードフォワード制御手段と、温度検出値が低下するように制御するフィードバック制御手段を備えたものであり、入力電流に応じて効率的にスイッチングが行えるという作用を有する。
【００５３】
また、請求項８記載の発明は、熱ロス低減手段は、スイッチ素子の出力電流に応じて、前記デューティの増加あるいは減少させる第２フィードフォワード制御手段と、温度検出値が低下するように制御するフィードバック制御手段を備えたものであり、出力電流に応じて効率的にスイッチングが行えるという作用を有する。
【００５４】
また、請求項９記載の発明は、熱ロス低減手段は、スイッチ素子の通流電流とデューティ、及び前記スイッチ素子の両端電圧に応じて、前記デューティの増加あるいは減少させる第３フィードフォワード制御手段と、温度検出値が低下するように制御するフィードバック制御手段を備えたものであり、スイッチ素子の通流電流と端子電圧に応じて効率的にスイッチングが行えるという作用を有する。
【００５５】
また、請求項１０記載の発明は、熱ロス低減手段は、冷却手段の温度が所定の異常閾値を超えた時にスイッチ素子を停止するものであり、スイッチ素子の発熱による破壊を未然に防止できるとうい作用を有する。
【００５６】
また、請求項１１記載の発明は、冷却手段の温度が所定の異常閾値を超えた時に異常を報知する報知手段を備えたものであり、スイッチ素子が発熱により停止したことが確認できるという作用を有する。
【００５７】
また、請求項１２記載の発明は、報知手段は、光あるいは音声としたものであり、スイッチ素子が発熱により停止したことが容易に確認できるという作用を有する。
【００５８】
また、請求項１３記載の発明は、請求項１〜１２のいずれかに記載の電源装置を備え、２４時間常時換気、浴室内の循環暖房、サウナ運転を行うことを特徴としたものであり、浴室換気乾燥機制御手段からの発熱を低減し、発熱による制御手段保護運転を行うことなく運転できるという作用を有する。
【００５９】
以下、本発明の実施形態について図面を参照しながら説明する。
【００６０】
（実施の形態１）
図１〜図２に示すように、交流直流変換器１に電力をスイッチングするスイッチ素子２とこのスイッチ素子２に接し、このスイッチ素子２の発生する熱を放熱させるためヒートシンクを用いた冷却手段３を備え、スイッチ素子２の温度を検出するサーミスタを用いた温度検出手段４がスイッチ素子２と冷却手段３の間に設けられ、この温度検出手段４の温度情報により、スイッチ素子２のスイッチングオフ時の両端電圧立ち下がりと、スイッチングオン時の電流立ち上がりのタイミングを可変し、スイッチ素子２にスイッチングのディユーティを印加する熱ロス低減手段５Ａを設けている。
【００６１】
冷却手段３はヒートシンクを用いたが、スイッチ素子２から発生する熱を効率的に放熱できれば、ヒートシンクでなくてもよい。
【００６２】
温度検出手段４はサーミスタを用いたが、スイッチ素子２の発熱を検出し、電気信号としてその情報を取り出せればサーミスタでなくてもよい。
【００６３】
熱ロス低減手段５Ａのディユーティの可変は、温度検出手段４の情報より、可変抵抗器を利用して手動で行っても、マイクロコンピューター等を用いて自動で行ってもよい。
【００６４】
上記構成により交流入力を直流出力に変換する場合、予め直流電流によって決まるディユーティ（Ｄｕｔｙ＊）にてスイッチング素子２をスイッチングさせた場合、スイッチ素子２は製造工程上ばらつきや、交流直流変換器１の周囲温度条件等によりスイッチ素子２により、温度検出手段４によって検出された冷却手段の温度Ｔｃは、予め設定されている温度Ｔｃ＊と比較され、Ｔｃ＞Ｔｃ＊の場合スイッチ素子２のスイッチングを下げるように熱ロス低減手段５Ａは、Ｄｕｔｙ−にてスイッチ素子２がスイッチングするようにディユーティをあたえる。また、Ｔｃ＜Ｔｃ＊の場合は、スイッチ素子２のスイッチングを上げるように熱ロス低減手段５ＡはＤｕｔｙ＋にてスイッチ素子２がスイッチングするようにディユーティをあたえる。また、Ｔｃ≒Ｔｃ＊となった場合は、現在のディユーティにてスイッチングを継続する。こうすることにより、スイッチ素子２のばらつきによるスイッチング時の発熱によるスイッチ素子２の破壊や、スイッチング効率を低下させることなくスイッチングできる。
【００６５】
（実施の形態２）
図３〜図４に示すように、冷却手段３の温度が所定値を超えた場合にスイッチ素子２にあたえるディユーティを間欠出力する、熱ロス低減手段５Ｂを設けている。
【００６６】
上記構成によりＴｃ＞Ｔｃ＊の場合、スイッチ素子２のスイッチングを下げるように熱ロス低減手段５Ｂは、Ｄｕｔｙ−にてスイッチ素子２がスイッチングするようにディユーティをあたえることとなるが、熱ロス低減手段５Ｂにて設定されているＤｕｔｙ（ｍｉｎ）のディユーティをスイッチ素子２にあたえてもＴｃ＞Ｔｃ＊を継続する場合、熱ロス低減手段５Ｂはスイッチ素子２にあたえるディユーティをＤｕｔｙ−の状態で間欠に出力する。こうすることにより、発熱によるスイッチ素子２の破壊を防止しできる。
【００６７】
（実施の形態３）
図５〜図６に示すように、スイッチ素子２に入力される電流値を検出し、スイッチ素子２の発熱を低減させるために予め設定された入力電流値と比較し、熱ロス低減手段５Ｃへスイッチングのディユーティ可変信号を送信するフィードフォワード制御手段６と温度検出手段４にて検出されたスイッチ素子２の発熱情報と、スイッチ素子２の発熱を低減させるために予め設定された発熱値を比較し、熱ロス低減手段５Ｃへスイッチングのディユーティ可変信号を送信するフィードバック制御手段７を設けている。
【００６８】
フィードフォワード制御手段６として、スイッチ素子２に入力される電流値と、予め設定されている電流値を比較し、その差に応じてディユーティ可変信号が出力できればよく、例えば、電流値の検出は抵抗を用いてそのその両端電圧を検出し、電流値の比較は、マイクロコンピューターを用いてマイクロコンピューター内に記憶されている設定値と比較しマイクロコンピューターにてディユーティ可変信号を生成する方法がある。
【００６９】
フィードバック制御手段７として、温度検出手段４にて検出されるスイッチ素子２の発熱情報と予め設定されている発熱値情報が比較できればよく、例えば、温度検出手段４にて電圧値へ変換された発熱情報をマイクロコンピューターを用いてマイクロコンピューター内に記憶されている設定値と比較しマイクロコンピューターにてディユーティ可変信号を生成する方法がある。
【００７０】
上記構成によりフィードフォワード制御手段６にて検出されたスイッチ素子２に入力されている電流値（Ｉｉｎ）と予め設定された入力電流値（Ｉｉｎ＊）が比較され、Ｉｉｎ＞Ｉｉｎ＊の場合は、スイッチングのディユーディを下げるように、また、Ｉｉｎ＜Ｉｉｎ＊の場合はスイッチングのディユーディを上げるように熱ロス低減手段５Ｃに送られる。また、温度検出手段４で検出されたスイッチ素子２の発熱値（Ｓｗｔｈ）はフィードバック制御手段７送られ、予め設定された発熱値（Ｓｗｔｈ＊）と比較され、Ｓｗｔｈ＞Ｓｗｔｈ＊の場合は、スイッチングのディユーディを上げるように、また、Ｓｗｔｈ＜Ｓｗｔｈ＊の場合は、スイッチングのディユーディを下げるように熱ロス低減手段５Ｃに送られる。
【００７１】
そして、熱ロス低減手段５Ｃは、力電流値と発熱値から決定された２つのディユーティ情報より最適なスイッチングディユーティとなるようにスイッチ素子２をスイッチングする。こうすることにより、入力電流に合わせて効率的なスイッチングを行うことができる。
【００７２】
（実施の形態４）
図７〜図８に示すように、スイッチ素子２から出力される電流値を検出し、スイッチ素子２の発熱を低減させるために予め設定された出力電流値と比較し、熱ロス低減手段５Ｄへスイッチングのディユーティ可変信号を送信する第２フィードフォワード制御手段８と温度検出手段４にて検出されたスイッチ素子２の発熱情報と、スイッチ素子２の発熱を低減させるために予め設定された発熱値を比較し、熱ロス低減手段５Ｄへスイッチングのディユーティ可変信号を送信するフィードバック制御手段７を設けている。
【００７３】
上記構成により第２フィードフォワード制御手段８にて検出されたスイッチ素子２から出力されている電流値（Ｉｏｕｔ）と予め設定された出力電流値（Ｉｏｕｔ＊）が比較され、Ｉｏｕｔ＞Ｉｏｕｔ＊の場合は、スイッチングのディユーディを下げるように、また、Ｉｏｕｔ＜Ｉｏｕｔ＊の場合はスイッチングのディユーディを上げるように熱ロス低減手段５Ｄに送られる。また、温度検出手段４で検出されたスイッチ素子２の発熱値（Ｓｗｔｈ）はフィードバック制御手段７送られ、予め設定された発熱値（Ｓｗｔｈ＊）と比較され、Ｓｗｔｈ＞Ｓｗｔｈ＊の場合は、スイッチングのディユーティを上げるように、また、Ｓｗｔｈ＜Ｓｗｔｈ＊の場合は、スイッチングのディユーティを下げるように熱ロス低減手段５Ｄに送られる。
【００７４】
そして、熱ロス低減手段５Ｄは、出力電流値と発熱値から決定された２つのディユーティ情報より最適なスイッチングディユーティとなるようにスイッチ素子２をスイッチングする。こうすることにより、出力電流に合わせて効率的なスイッチングを行うことができる。
【００７５】
（実施の形態５）
図９〜図１０に示すように、スイッチ素子２に通流する電流値と、スイッチングディユーティ、およびスイッチ素子２の両端電圧を検出して得られるスイッチ素子２の出力電力と、スイッチ素子２の発熱を低減させるために予め設定された出力電力値と比較し、熱ロス低減手段５Ｅへスイッチングのディユーティ可変信号を送信する第３フィードフォワード制御手段９と温度検出手段４にて検出されたスイッチ素子２の発熱情報と、スイッチ素子２の発熱を低減させるために予め設定された発熱値を比較し、熱ロス低減手段５Ｅへスイッチングのディユーティ可変信号を送信するフィードバック制御手段７を設けている。
【００７６】
上記構成により第３フィードフォワード制御手段９にて検出されたスイッチ素子２から出力されている電力値（Ｐｏｕｔ）と予め設定された出力電力値（Ｐｏｕｔ＊）が比較され、Ｐｏｕｔ＞Ｐｏｕｔ＊の場合は、スイッチングのディユーディを下げるように、また、Ｐｏｕｔ＜Ｐｏｕｔ＊の場合はスイッチングのディユーディを上げるように熱ロス低減手段５Ｅに送られる。また、温度検出手段４で検出されたスイッチ素子２の発熱値（Ｓｗｔｈ）はフィードバック制御手段７送られ、予め設定された発熱値（Ｓｗｔｈ＊）と比較され、Ｓｗｔｈ＞Ｓｗｔｈ＊の場合は、スイッチングのディユーディを上げるように、また、Ｓｗｔｈ＜Ｓｗｔｈ＊の場合は、スイッチングのディユーディを下げるように熱ロス低減手段５Ｅに送られる。
【００７７】
そして、熱ロス低減手段５Ｅは、出力電力値と発熱値から決定された２つのディユーティ情報より最適なスイッチングディユーティとなるようにスイッチ素子２をスイッチングする。こうすることにより、出力電力に合わせて効率的なスイッチングを行うことができる。
【００７８】
（実施の形態６）
図１１に示すように、温度検出手段４にて検出された冷却手段３の温度（Ｓｗｔｈ）が予め設定された閾値（Ｓｗｔｈ＊）を越えたときに、異常として、スイッチ素子２のスイッチングを停止する熱ロス低減手段５Ｆを設けている。
【００７９】
上記構成によりスイッチ素子２をスイッチングし、交流入力を直流出力に変換している際に、温度検出手段４によって検出される冷却手段３の温度すなわちスイッチ素子２の発熱は熱ロス低減手段５Ｆで比較され、Ｓｗｔｈ＜Ｓｗｔｈ＊の場合、熱ロス低減手段５Ｆはスイッチ素子２にディユーティをあたえ、スイッチングを継続するが、Ｓｗｔｈ＞Ｓｗｔｈ＊の場合、熱ロス低減手段５Ｆはスイッチ素子２にディユーティをあたえることを停止する。こうすることにより、スイッチ素子の発熱による破壊を未然に防止することができる。
【００８０】
（実施の形態７）
図１２に示すように、温度検出手段４にて検出された冷却手段３の温度（Ｓｗｔｈ）が予め設定された閾値（Ｓｗｔｈ＊）を越えたときに光あるいは音声にて異常を報知する報知手段１０が熱ロス低減手段５Ｇに接続される形で設けている。
【００８１】
上記構成により、Ｓｗｔｈ＞Ｓｗｔｈ＊となった場合、熱ロス低減手段５Ｇはスイッチ素子２へのディユーティ出力を停止し、スイッチ素子２のスイッチングを停止させるとともに、報知手段１０へ異常情報を送信する。そして、異常情報を受けた報知手段１０は、光あるいは音声にて異常を報知する。こうすることにより、スイッチ素子が発熱により停止したことが容易に確認することができる。
【００８２】
（実施の形態８）
図１３に示すように、浴室換気乾燥機１１内に２４時間常時換気、浴室内の循環暖房、サウナ運転の少なくとも１つ以上の運転時に送風するためのファン１２を回転する直流駆動モーター１３と、この直流駆動モーター１３を駆動させる電源装置１４を浴室換気乾燥機本体制御手段１５内に設けている。
【００８３】
電源装置１４は浴室換気乾燥機本体制御手段１５内に設けたが、浴室換気乾燥機本体制御手段１５からの制御信号により駆動できれば浴室換気乾燥機本体制御手段１５内に設けなくてもよい。
【００８４】
浴室乾燥機本体制御手段１５は、浴室乾燥機本体に必要なヒーター、風路切換用ダンパー、ファンモーター等のアクチュエーターの動作を行う駆動回路や、浴室温度等の情報信号を受ける回路部分、浴室乾燥機の運転停止を行う遠隔操作部と、マイクロコンピューターから構成され、遠隔操作部からの運転信号に応じて浴室乾燥機のアクチュエーターの動作を行う制御手段である。例えば、遠隔操作部からの信号が、２４時間常時換気運転の信号であれば、換気を行うファンモーターとアクチュエーターが、浴室内循環暖房では、浴室内の循環を行うファンモーターとアクチュエーターが、そしてサウナ運転では、サウナ運転を行うファンモーターとそのアクチュエーターが動作することとなる。
【００８５】
ファン１２、直流駆動モーター１３、電源装置１４は構成説明上、１つとしたが、複数で構成してもよい。
【００８６】
上記構成により、２４時間常時換気、浴室内の循環暖房、サウナ運転等行う場合、浴室乾燥機本体制御手段１５からの運転信号にて電源装置１４が駆動され、直流駆動モーター１３が回転し、ファン１２が回転することで送風されることとなるが、この時、電源装置１４内のスイッチ素子の発熱に応じてスイッチ素子のスイッチングディユーティが可変されるため、電源装置１４の発熱を低減させて運転することができる。こうすることにより電源装置の発熱による電源装置や、浴室乾燥機本体制御手段の制御手段保護運転を行うことなく運転することができる。
【産業上の利用可能性】
【００８７】
電源装置に取付けた熱ロス低減手段を用いて容易にスイッチ素子の発熱を低減することができ、スイッチ素子を駆動する制御手段に熱ロス低減手段を取付けることにより、熱ロスの大きい直流を交流に変換する直流交流変換器、例えば空気調和機の圧縮機駆動の用途にも適用できる。
【図面の簡単な説明】
【００８８】
【図１】本発明の実施の形態１の電源装置の構成を示すブロック図
【図２】同電源装置のディユーティ可変動作を示すフローチャート
【図３】本発明の実施の形態２の電源装置の構成を示すブロック図
【図４】同電源装置のディユーティ可変動作を示すフローチャート
【図５】本発明の実施の形態３の電源装置の構成を示すブロック図
【図６】同電源装置のディユーティ可変動作を示すフローチャート
【図７】本発明の実施の形態４の電源装置の構成を示すブロック図
【図８】同電源装置のディユーティ可変動作を示すフローチャート
【図９】本発明の実施の形態５の電源装置の構成を示すブロック図
【図１０】同電源装置のディユーティ可変動作を示すフローチャート
【図１１】本発明の実施の形態６の電源装置の構成を示すブロック図
【図１２】本発明の実施の形態７の電源装置の構成を示すブロック図
【図１３】本発明の実施の形態８の浴室換気乾燥機の構成を示すブロック図
【図１４】従来の電源装置の構成を示す図
【符号の説明】
【００８９】
１    交流直流変換器
２    スイッチ素子
３    冷却手段
４    温度検出手段
５Ａ  熱ロス低減手段
５Ｂ  熱ロス低減手段
５Ｃ  熱ロス低減手段
５Ｄ  熱ロス低減手段
５Ｅ  熱ロス低減手段
５Ｆ  熱ロス低減手段
５Ｇ  熱ロス低減手段
６    フィードフォワード制御手段
７    フィードバック制御手段
８    第２フィードフォワード制御手段
９    第３フィードフォワード制御手段
１０  報知手段
１１  浴室換気乾燥機
１２  ファン
１３  直流駆動モーター
１４  電源装置
１５  浴室乾燥機本体制御手段
【図１】
2007074872.tif 000003
【図２】
2007074872.tif 000004
【図３】
2007074872.tif 000005
【図４】
2007074872.tif 000006
【図５】
2007074872.tif 000007
【図６】
2007074872.tif 000008
【図７】
2007074872.tif 000009
【図８】
2007074872.tif 000010
【図９】
2007074872.tif 000011
【図１０】
2007074872.tif 000012
【図１１】
2007074872.tif 000013
【図１２】
2007074872.tif 000014
【図１３】
2007074872.tif 000015
【図１４】
2007074872.tif 000016